(57)【要約】【課題】簡単な方法及び構造によって、シャフト等の部品を部材に固定すること。【解決手段】部品取付方法として、第１の部品を挿入する挿入穴と該挿入穴の近傍にビスを用いるビス止め部とを設けた部材を用い、前記第１の部品を前記挿入穴に挿入した後、前記ビス止め部に対しビスを用いることによって第２の部品を前記部材に固定すると共に、前記挿入穴を変形させて前記第１の部品を前記部材に固定した。また、部品取付構造として、第１の部品を挿入する挿入穴の近傍に第２の部品の固定用のビス止め部を設けた部材を具備した。【選択図】    図１
2004270845.tif 000002
【特許請求の範囲】
【請求項１】
第１の部品を挿入する挿入穴と該挿入穴の近傍にビスを用いるビス止め部とを設けた部材を用い、前記第１の部品を前記挿入穴に挿入した後、前記ビス止め部に対しビスを用いることによって第２の部品を前記部材に固定すると共に、前記挿入穴を変形させて前記第１の部品を前記部材に固定することを特徴とする部品取付方法。
【請求項２】
前記第１の部品はシャフトであり、前記挿入穴に該シャフトの端部を挿入することを特徴とする請求項１記載の部品取付方法。
【請求項３】
前記シャフトは回転部材の軸であることを特徴とする請求項２記載の部品取付方法。
【請求項４】
第１の部品を挿入する挿入穴の近傍に第２の部品の固定用のビス止め部を設けた部材を具備することを特徴とする部品取付構造。
【請求項５】
前記第１の部品はシャフトであり、前記挿入穴に該シャフトの端部が挿入されていることを特徴とする請求項４記載の部品取付構造。
【請求項６】
前記シャフトは回転部材の軸であることを特徴とする請求項５記載の部品取付構造。
【発明の詳細な説明】
【０００１】
【発明の属する技術分野】
本発明は、特に樹脂や金属の部材にシャフトの端部を固定する部品取付方法及び部品取付構造に関する。
【０００２】
【従来の技術】
特開２０００−９５２６５号公報（Ｂ６５Ｄ  ５５／０２）に開示されているように、電子機器の電池蓋のような回転体の軸として、一般的に金属性のシャフトが用いられている。該シャフトは樹脂や金属の部材に挿入して用いられている。
【０００３】
【発明が解決しようとする課題】
しかしながら、組立て作業性や、成形品のバリ発生等を考えると、シャフトを圧入設計とすることは困難であり、単に挿入するだけであれば、シャフトは少し傾けると簡単に抜けてしまう。従って、シャフト抜け防止には何らかの別部品の取り付けが必要となっていた。
【０００４】
本発明は、簡単な方法及び構造によって、シャフト等の部品を部材に固定することを目的とする。
【０００５】
【課題を解決するための手段】
本発明は、上記課題を解決するために、部品取付方法として、第１の部品を挿入する挿入穴と該挿入穴の近傍にビスを用いるビス止め部とを設けた部材を用い、前記第１の部品を前記挿入穴に挿入した後、前記ビス止め部に対しビスを用いることによって第２の部品を前記部材に固定すると共に、前記挿入穴を変形させて前記第１の部品を前記部材に固定した。
【０００６】
また、部品取付構造として、第１の部品を挿入する挿入穴の近傍に第２の部品の固定用のビス止め部を設けた部材を具備した。
【０００７】
【発明の実施の形態】
以下図面に従い、本発明の実施の形態について説明する。
図１は、本発明の実施例であるデジタルカメラ等の電子機器の電池収納部を示した側面透視図である。電池収納部１には、シャフト２を軸として回動する電池蓋３が設けられている。４は電池収納部１に収納された電池である。なお、電池収納部１の底部１ａには、電池４と電気的に接続するための端子が設けられているが、図示は省略する。また、５は電池収納部１の組立に用いられるビスであり、詳細は後述する。
【０００８】
図２は、図１に示した矢印Ａの方向から見た電池収納部１の分解図である。図示の通り、電池収納部１は、底部１ａ、第１側面１ｂ、第２側面１ｃ、第３側面の左側部１ｄ、及び電池蓋設置部１ｅを形成した樹脂製の左部材６と、樹脂製の電池蓋３と、金属性のシャフト２と、第３側面の右側部１ｆ、及び第４側面１ｇを形成した樹脂製の右部材７と、ビス５から成っている。
【０００９】
左部材６の電池蓋設置部１ｅには、シャフト２が挿入される穴１ｈ、１ｉと、ビス５がねじ込まれるビス止め部１ｊが設けられている。電池蓋３には、シャフト２が回動自在の状態で挿入される穴３ａが設けられている。右部材７には、ビス５の先が通る穴７ａが設けられている。
【００１０】
次に、電池収納部１の組立方法について図２を用いて説明する。先ず初めに、電池蓋３に設けられた穴３ａと左部材６の電池蓋設置部１ｅに設けられた穴１ｈ、１ｉが一直線に並ぶように電池蓋３を電池蓋設置部１ｅに置く。そして、穴１ｈ又は穴１ｉからシャフト２を挿入し、電池蓋３を回動自在に保持する。そして、ビス５の先を右部材７に設けられた穴７ａに通し、左部材６に設けられたビス止め部１ｊにビス締めし、右部材７を左部材６に取り付ける。
【００１１】
そして、右部材７を左部材６に固定する為にビス締めをしたとき、図３に示す様に、シャフト２を挿入した穴１ｉがビス５がビス止め部１ｊにねじ込まれたことによって矢印Ｂの方向に押されて変形し小さくなる。従ってその結果、シャフト２は左部材６に圧入されたのと同じこととなり、簡単には抜けてこなくなる。なお、図３は、シャフト２を挿入する穴１ｉとビス５がねじ込まれるビス止め部１ｊが設けられえた左部材６の部分を側面から見た拡大図である。
【００１２】
すなわち、第１の部品であるシャフト２を挿入する穴１ｉの近傍に第２の部品である右部材７の固定用のビス止め部１ｊを設けた左部材６を用いている。
【００１３】
完成した電池収納部１を図４に示す。但し、シャフト２や右部材７の取付状態を示すために、電池蓋３の図示は省略した。
【００１４】
なお、左部材６と右部材７の結合は、ビス５を用いるだけではなく、第３側面の左側部１ｄと第３側面の右側部１ｆとの係合や接着も行なわれているが、詳細な説明や図示は割愛する。
【００１５】
以上、本発明の実施例について説明したが、シャフト２を挿入する穴１ｉの近傍且つ周囲に複数のビス止め部を設け、複数のビスを用いて右部材７を左部材６に固定するようにしてもよく、複数のビスがねじ込まれることによって、ビス１個の場合よりもシャフト２を挿入する穴１ｉはより大きく変形し、より大きな圧力がシャフト２に加わる。また、シャフト２の他端を挿入する穴１ｈの近傍にもビス止め部を設けて別部品をビス止めすることによって、穴１ｈにも圧入されたのと同じこととすることができる。
【００１６】
また、本発明は電池収納部における部品取付方法及び部品取付構造に限定されるものではなく、種々の応用が可能である。第１の部品を挿入する挿入穴の近傍に第２の部品の固定用のビス止め部を設けた部材の材質は樹脂に限らず、ビスがねじ込まれることによってビス止め部が変形し挿入穴が変形するもであればよく、金属性の部材を用いてもよい。例えばプリント基板を金属性のシャーシに挿入し固定する方法として、プリント基板の端部を挿入する挿入穴と該挿入穴の近傍にビスを用いるビス止め部とを金属性のシャーシに設け、該挿入穴にプリント基板の端部を挿入した後、リード線の保持部材等の別部品を該ビス止め部を用いてビス止めするようにしてもよい。
【００１７】
【発明の効果】
本発明によれば、簡単な方法及び構造によって、シャフト等の部品を部材に固定することができ、その効果は大である。
【図面の簡単な説明】
【図１】本発明の実施例を示した側面透視図である。
【図２】本発明の実施例を示した分解図である。
【図３】本発明の実施例を示した要部拡大図である。
【図４】本発明の実施例を示した完成図である。
【符号の説明】
１    電池収納部
１ｉ  穴（第１の部品を挿入する挿入穴）
１ｊ  ビス止め部
２    シャフト（第１の部品）
５    ビス
６    左部材（部材）
７    右部材（第２の部品）
【図１】
2004270845.tif 000003
【図２】
2004270845.tif 000004
【図３】
2004270845.tif 000005
【図４】
2004270845.tif 000006